(57)【要約】【課題】マスク使用時におけるマスク本体の位置ずれを衛生的に修正でき、感染リスクの低減を図るのに好適な衛生マスクを提供する。【解決手段】衛生マスク１は、使用者の口部周辺を被覆可能なサイズのマスク本体２と、該マスク本体２の左右両側に設けた一対の耳掛け部３Ａ、３Ｂと、を備え、さらに、マスク本体２の表面部に、該マスク本体２の位置ずれを修正する手段として機能する摘み部４が設けられている。【選択図】図１
0003231955.tif 000002
【実用新案登録請求の範囲】
【請求項１】
使用者の口部周辺を被覆可能なサイズのマスク本体と、該マスク本体の左右両側に設けた一対の耳掛け部と、を備えた衛生マスクであって、
前記マスク本体の表面部に、該マスク本体の位置ずれを修正する手段として機能する摘み部を設けたこと
を特徴とする衛生マスク。
【請求項２】
前記摘み部は、前記マスク本体の表面部全体のうち、該マスク本体の上縁中央部付近に位置すること
を特徴とする衛生マスク。
【考案の詳細な説明】
【技術分野】
【０００１】
本考案は、飛沫の拡散を抑える衛生マスクに関し、特に、マスク使用時におけるマスク本体の位置ずれを衛生的に修正でき、感染リスクの低減を図るのに好適なものである。
【背景技術】
【０００２】
コロナ禍の昨今、マスクを付けた状態で会話をする光景が散見される。この場合、会話中にマスク本体が下方（顎の方）にずれ、ずれたマスク本体の口元付近を指で掴んで持ち上げることで、マスク本体の位置すれを修正する光景もよく見られる。
【０００３】
ところで、マスク本体の口元付近にはウイルスが付着していることも想定される。このため、前記のようにマスク本体の口元付近を指で掴んで持ち上げる行為、つまりマスク本体の位置ずれを修正する行為は、感染リスクを高め、衛生的ではない。しかしながら、マスク本体の位置ずれを衛生的に修正できるマスクは、従来提供されていなかった。これが問題点である。
【先行技術文献】
【特許文献】
【０００４】
【特許文献１】実用新案登録第３２３０５５６号
【考案の概要】
【考案が解決しようとする課題】
【０００５】
本考案は前記問題点を解決するためになされたもので、その目的は、マスク使用時におけるマスク本体の位置ずれを衛生的に修正でき、感染リスクの低減を図るのに好適な衛生マスクを提供することである。
【課題を解決するための手段】
【０００６】
前記目的を達成するために、本考案は、使用者の口部周辺を被覆可能なサイズのマスク本体と、該マスク本体の左右両側に設けた一対の耳掛け部と、を備えた衛生マスクであって、前記マスク本体の表面部に、該マスク本体の位置ずれを修正する手段として機能する摘み部を設けたことを特徴とする。
【０００７】
前記本考案において、前記摘み部は、前記マスク本体の表面部全体のうち、該マスク本体の上縁中央部付近に位置することを特徴としてもよい。
【考案の効果】
【０００８】
本考案では、衛生マスクの具体的な構成として、前述の通りマスク本体の表面部に、該マスク本体の位置ずれを修正する手段として機能する摘み部を設ける構成を採用した。このため、例えば、マスク使用時にマスク本体が下方にずれる等、マスク本体の位置ずれが生じた場合には、その都度、いつも必ず同じ部分、具体的には摘み部を摘まんでマスク本体の位置ずれを修正することが可能であり、位置ずれ修正の度に、マスク本体の口元付近を指で掴んで持ち上げるという感染リスクの高い行為を効果的に回避できる点で、マスク使用時におけるマスク本体の位置ずれを衛生的に修正でき、感染リスクの低減を図るのに好適な衛生マスクを提供し得る。
【０００９】
また、本考案において、摘み部がマスク本体の上縁中央部付近に位置する構成を採用した場合には、かかる摘み部はマスク本体の口元付近より比較的遠く離れた位置に配置されるから、マスク本体の口元付近に付着したウイルスに触れる機会がより一層減る点で、感染リスクを低減する効果が高いという作用効果を奏する。
【図面の簡単な説明】
【００１０】
【図１】本考案を適用した衛生マスク（（顔に装着した状態））の正面図。
【図２】図１の衛生マスク（顔に装着した状態）の右側面図。
【考案を実施するための最良の形態】
【００１１】
以下、本考案を実施するための最良の形態について、添付した図面を参照しながら詳細に説明する。
【００１２】
図1は、本考案を適用した衛生マスク（（顔に装着した状態））の正面図、図２は、図１の衛生マスク（顔に装着した状態）の右側面図である。
【００１３】
図１および図２を参照すると、図１の衛生マスク１は、使用者の口部周辺を被覆可能なサイズのマスク本体２と、該マスク本体２の左右両側に設けた一対の耳掛け部３Ａ、３Ｂと、を備えている。これに加えて更に、同図の衛生マスク１では、そのマスク本体２の表面部に、該マスク本体２の位置ずれを修正する手段として機能する摘み部４が設けられる構成を採用している。
【００１４】
マスク本体２の具体的な構成素材として、図１の衛生マスク１では、不織布を採用したが、これに限定されることはない。不織布以外の他の素材、例えばウレタンや布等の各種素材でマスク本体２を作製してもよい。
【００１５】
耳掛け部３Ａ、３Ｂの具体的な構成素材として、図１の衛生マスク１では、ゴム紐を採用したが、これに限定されることはない。ゴム紐以外の他の素材、例えば、マスク本体２がウレタン素材で作製される場合は、そのマスク本体２と同じウレタン素材で耳掛け部３Ａ、３Ｂを作製してもよい。
【００１６】
摘み部４の具体的な配置構成として、図１の衛生マスク１では、マスク本体２の表面部全体のうち、該マスク本体２の上縁中央部２Ａ付近に摘み部４が位置する構成を採用したが、これに限定されることはない。その位置から少しずれた場所などに摘み部４が配置される構成を採用することも可能である。摘み部４Ａの配置場所については、その主たる機能、具体的にはマスク本体２の位置ずれを修正するという機能を損なわない限り、必要に応じて適宜変更することができる。
【００１７】
マスク本体２に対する摘み部４の具体的な取付け構造例として、図１の衛生マスク１では、マスク本体２と摘み部４を別体に作製し、摘み部４をマスク本体２に後付け固定する方式を採用したが、これに限定されることはない。マスク本体２と摘み部４を一体成形で同時に作製する方式を採用してもよい。
【００１８】
摘み部４をマスク本体２に後付け固定する方式としては、例えば、摘み部４とマスク本体２を粘着テープ片で一体的に固定する方法や、摘み部４とマスク本体２を超音波溶着で固定する方法などが考えられるが、これらに限定されることはない。
【００１９】
図１の衛生マスク１はそれ全体を洗濯によって繰り返し使用する素材で構成することもでき、この場合、洗濯バサミで摘み部４を摘まんで衛生マスク１を干す等、当該摘み部４は衛生マスク１を干すときに摘ままれる手段としても機能し得る。
【００２０】
マスク本体２から見た摘み部４の具体的な形状として、図１の衛生マスク１では、マスク本体２の表面から所定形状の摘み部４が立ち上がった形状を採用したが、これに限定されることはない。かかる摘み部４はマスク本体２の位置ずれを修正するときに掴まれる手段として機能するものであるから、その位置ずれ修正時に掴みやすい形状、例えば、マスク本体２の表面からアーチ状に立ち上がった輪形状を採用する等、摘み部４の具体的な形状は必要に応じて適宜変更することができる。
【００２１】
以上説明した図１の衛生マスク１、すなわち本実施形態の衛生マスク１では、その具体的な構成として、前述の通り、マスク本体２の表面部に、該マスク本体２の位置ずれを修正する手段として機能する摘み部４を設ける構成を採用した。このため、例えば、マスク使用時にマスク本体２が下方にずれる等、マスク本体２の位置ずれが生じた場合には、その都度、いつも必ず同じ部分、具体的には摘み部４を摘まんでマスク本体２の位置ずれを修正することが可能であり、位置ずれ修正の度に、マスク本体２の口元２Ｂ付近を指で掴んで持ち上げるという感染リスクの高い行為を効果的に回避できる。
【００２２】
特に、本実施形態の衛生マスク１によると、マスク本体２の表面部全体のうち、該マスク本体２の上縁中央部２Ａ付近に摘み部４が位置する構成を採用したことで、かかる摘み部４はマスク本体２の口元２Ｂ付近より比較的遠く離れた位置に配置されるから、マスク本体２の口元２Ｂ付近に付着したウイルスに触れる機会がより一層減る点で、感染リスクを低減する効果が高い。
【００２３】
本考案は上述の実施形態に限定されるものではなく、本考案の技術的思想の範囲内であれば、当業者の通常の創作能力によって多くの変形が可能である。
【符号の説明】
【００２４】
１  衛生マスク
２  マスク本体
２Ａ  マスク本体の上縁中央部
３Ａ、３Ｂ  耳掛け部
４  摘み部
【図１】
0003231955.tif 000003
【図２】
0003231955.tif 000004
【手続補正書】
【提出日】令和3年3月15日(2021.3.15)
【手続補正１】
【補正対象書類名】実用新案登録請求の範囲
【補正対象項目名】請求項２
【補正方法】変更
【補正の内容】
【請求項２】
前記摘み部は、前記マスク本体の表面部全体のうち、該マスク本体の上縁中央部付近に位置すること
を特徴とする請求項１に記載の衛生マスク。